(57)【要約】【課題】  装飾部材の装着数量や装着箇所を様々に変えて、変化に富んだ装飾を施すことができる自転車を提供する。【解決手段】  バスケット８に複数の取付用孔部１０が形成され、装飾部材１２は着脱手段１４を介して取付用孔部１０に着脱自在であり、着脱手段１４は、取付用孔部１０に挿脱自在な挿入軸部１５ａを有する止め具１５と、取付用孔部１０に挿入された止め具１５の脱落を防止するワッシャー１６とで構成されている。【選択図】  図３
2007045313.tif 000002
【特許請求の範囲】
【請求項１】
装飾部材取付用の取付用開口部が複数形成され、
装飾部材は着脱手段を介して取付用開口部に着脱自在であり、
着脱手段は、上記取付用開口部に挿脱自在な挿入部と、取付用開口部に挿入された挿入部の脱落を防止する脱落防止部とで構成されていることを特徴とする自転車。
【請求項２】
着脱手段は装飾部材に一体に設けられていることを特徴とする請求項１記載の自転車。
【請求項３】
取付用開口部は、バスケット、チェーンカバー、スポーク、泥除けの少なくともいずれかに複数形成されていることを特徴とする請求項１又は請求項２記載の自転車。
【請求項４】
装飾部材は、光を反射する反射体又は光を発光する発光体を有していることを特徴とする請求項１から請求項３のいずれか１項に記載の自転車。
【発明の詳細な説明】
【技術分野】
【０００１】
本発明はバスケットやチェーンカバーなどに装飾を施すことができる自転車に関する。
【背景技術】
【０００２】
従来、例えば子供用の自転車等では、前部に設けられたバスケットの外面やチェーンカバーの外面に、アニメのキャラクターや動物，花，星等の図柄や模様が装飾されているものがある。
【０００３】
しかしながら、自転車製作後、利用者が後から上記図柄や模様を流行や自分の好み或いは季節等に応じて様々に変えることはできず、短期間で飽きられ易いといった課題があった。また、自分が所有する自転車と他人が所有する自転車との図柄や模様が同じ機種である場合、簡単に見分けることができないといった課題もあった。
【０００４】
尚、下記特許文献１には、サッカーボール等の形をした装飾体をフレームに着脱自在に装着した自転車が開示されている。
【特許文献１】特開２００４−４２７６３号公報
【発明の開示】
【発明が解決しようとする課題】
【０００５】
しかしながら上記特許文献１のものでは、装飾体はフレームの一箇所にしか装着することができず、フレーム以外の箇所、例えば前部のバスケットやチェーンカバー、スポーク等に装飾体を着脱自在に装着することはできず、したがって、装着される装飾体の数量および装着箇所が大幅に制限されてしまい、変化に富んだ装飾を施すことができないといった課題がある。
【０００６】
本発明は、装飾部材の装着数量や装着箇所を様々に変えて、変化に富んだ装飾を施すことができる自転車を提供することを目的とする。
【課題を解決するための手段】
【０００７】
上記目的を達成するために、本第１発明における自転車は、装飾部材取付用の取付用開口部が複数形成され、装飾部材は着脱手段を介して取付用開口部に着脱自在であり、着脱手段は、上記取付用開口部に挿脱自在な挿入部と、取付用開口部に挿入された挿入部の脱落を防止する脱落防止部とで構成されているものである。
【０００８】
これによると、着脱手段の挿入部を取付用開口部に挿入し、脱落防止部で挿入部の脱落を防止することによって、装飾部材を任意の取付用開口部に取付けることができる。また、着脱手段の挿入部を取付用開口部から脱抜することにより、装飾部材を取付用開口部から取り外すことができる。したがって、装飾部材を取付用開口部から取り外して別の箇所の取付用開口部に取付けたり、装飾部材を取付用開口部から取り外し、違う種類の装飾部材を取付用開口部に取付けることができる。これにより、自分の自転車の装飾と他人の自転車の装飾との差異化を図ることができ、自分の自転車と他人の自転車とを簡単に見分けることができる。さらには、取付用開口部の数を増やすことで、多数の様々な装飾部材を自由に選択して取付けたり取外すことができる。これにより、装飾部材の装着数量や装着箇所を様々に変えて、変化に富んだ装飾を施すことができる。
【０００９】
また、本第２発明における自転車は、着脱手段は装飾部材に一体に設けられているものである。
これによると、部品点数を減らすことができ、着脱手段を紛失する心配もない。また、装飾部材の着脱が迅速かつ簡単に行える。
【００１０】
また、本第３発明における自転車は、取付用開口部は、バスケット、チェーンカバー、スポーク、泥除けの少なくともいずれかに複数形成されている。
これによると、バスケット、チェーンカバー、スポーク、泥除けの少なくともいずれかに対して、複数の装飾部材を取付けたり或いは取外すことができるため、装飾部材の装着数量や装着箇所を様々に変えて、変化に富んだ装飾を施すことができる。
【００１１】
また、本第４発明における自転車は、装飾部材は、光を反射する反射体又は光を発光する発光体を有しているものである。
これによると、暗い場所や夜間での走行時における安全性が向上する。
【発明の効果】
【００１２】
以上のように本発明によれば、装飾部材を任意の取付用開口部に取付けたり或いは取付用開口部から取り外すことができるため、自分の自転車の装飾と他人の自転車の装飾との差異化を図ることができ、自分の自転車と他人の自転車とを簡単に見分けることができる。また、取付用開口部の数を増やすことで、多数の様々な装飾部材を自由に選択して取付けたり取外すことができ、これにより、装飾部材の装着数量や装着箇所を様々に変えて、変化に富んだ装飾を施すことができる。
【発明を実施するための最良の形態】
【００１３】
以下に本発明における実施の形態を図面に基いて説明する。
（第１の実施の形態）
先ず、第１の実施の形態を図１〜図５に基いて説明する。
【００１４】
図１に示すように、１は子供用の自転車であり、フレーム２、前後の車輪３ａ，３ｂ、ハンドル４、サドル５、チェーンカバー６、前後の泥除け７ａ，７ｂ、前部のバスケット８（籠）等を有している。また、車輪３ａ，３ｂには、樹脂製の板状のスポーク９が設けられている。
【００１５】
図２に示すように、バスケット８の両側部にはそれぞれ、内外両面に貫通する複数の取付用孔部１０（取付用開口部の一例）が形成されている。また、図３（ａ）（ｂ）に示すように、１２は色が異なる複数種類（例えば赤，青，黄色等）の星型の装飾部材である。各装飾部材１２の中央部には表裏両面に貫通する貫通孔１３が形成されている。図３（ｃ）に示すように、各装飾部材１２は、着脱手段１４を介して、取付用孔部１０に着脱自在である。
【００１６】
図４に示すように、着脱手段１４は、上記貫通孔１３と取付用孔部１０とに挿脱自在な挿入軸部１５ａ（挿入部の一例）および頭部１５ｂを有する止め具１５と、取付用孔部１０に挿入された止め具１５の脱落を防止するワッシャー１６（脱落防止部の一例）とで構成されている。止め具１５とワッシャー１６とは弾性を有する樹脂等で製作され、挿入軸部１５ａの先端をワッシャー１６の孔部１６ａに圧入して嵌め込むことにより、止め具１５の脱落が防止される。
【００１７】
以下、上記構成における作用を説明する。
例えば、装飾部材１２をバスケット８の取付用孔部１０に取付ける場合、図３（ｃ）に示すように、止め具１５の挿入軸部１５ａをバスケット８の外側から装飾部材１２の貫通孔１３と任意の取付用孔部１０とに挿入し、バスケット８の内側からワッシャー１６を上記挿入軸部１５ａの先端部に圧入して外嵌する。これにより、ワッシャー１６で止め具１５の脱落を防止することができ、図５に示すように装飾部材１２が任意の取付用孔部１０に取付けられる。
【００１８】
また、上記のようにして装着した装飾部材１２をバスケット８から取外す場合、ワッシャー１６を止め具１５の挿入軸部１５ａの先端部から取り外し、挿入軸部１５ａを貫通孔１３と任意の取付用孔部１０とからバスケット８の外側へ脱抜すればよい。
【００１９】
尚、上記と同様な方法で、装飾部材１２を他の取付用孔部１０に取付けたり或いは取外すことができる。
したがって、装飾部材１２を取付用孔部１０から取外して別の箇所の取付用孔部１０に取付けたり、或いは、違う色の装飾部材１２を取付用孔部１０に取付けることができる。これにより、自分の自転車１の装飾と他人の自転車の装飾との差異化を図ることができ、
例え、同じ機種の自転車であっても、自分の自転車１と他人の自転車とを簡単に見分けることができる。
【００２０】
また、上記第１の実施の形態では、装飾部材１２を星型に形成しているが、これ以外の形状（例えば花や動物等の形状）を有する装飾部材１２を用いてもよく、このような複数種類の形状の装飾部材１２を混合して用いてもよい。
【００２１】
また、図２に示すように、バスケット８の両側部にそれぞれ、取付用孔部１０を三箇所ずつ形成しているが、三箇所以外の複数箇所に形成してもよく、取付用孔部１０の数を増やすことで、多数の様々な装飾部材１２を取付けたり取外すことができる。これにより、装飾部材１２の装着数量や装着箇所を様々に変えて、変化に富んだ装飾をバスケット８に施すことができる。
【００２２】
上記第１の実施の形態では、バスケット８の両側部に複数の取付用孔部１０を形成し、装飾部材１２をバスケット８の両側部に着脱できるようにしているが、バスケット８の前部に複数の取付用孔部１０を形成し、装飾部材１２をバスケット８の前部に着脱できるようにしてもよい。さらに、バスケット８に限定されるものではなく、チェーンカバー６、泥除け７ａ，７ｂ、スポーク９の少なくともいずれかに取付用孔部１０を形成し（図１参照）、これらチェーンカバー６、泥除け７ａ，７ｂ、スポーク９の少なくともいずれかに装飾部材１２を着脱してもよい（図１の仮想線参照）。
（第２の実施の形態）
次に、第２の実施の形態を図６，図７に基いて説明する。
【００２３】
バスケット８の両側部および前部は、内外両面に開口する複数の取付用開口部２１を有する網目状（メッシュ状）に形成されている。
これによると、止め具１５の挿入軸部１５ａをバスケット８の外側から装飾部材１２の貫通孔１３と取付用開口部２１とに挿入し、バスケット８の内側からワッシャー１６を上記挿入軸部１５ａの先端部に圧入して外嵌する。これにより、ワッシャー１６で止め具１５の脱落を防止することができ、図７に示すように、装飾部材１２がバスケット８の外面に取付けられる。
【００２４】
また、装飾部材１２に所定以上の外力を加えることにより、装飾部材１２を、バスケット８に取付けたままの状態で、取付用開口部２１に沿って移動させることができる。これにより、容易に装飾部材１２の取付位置を変えることができる。
【００２５】
尚、上記のようにして装着した装飾部材１２をバスケット８から取外す場合、ワッシャー１６を止め具１５の挿入軸部１５ａの先端部から取り外し、挿入軸部１５ａを貫通孔１３と取付用開口部２１とから脱抜すればよい。
【００２６】
上記第２の実施の形態では、網目状に形成したバスケット８の目開き部分を取付用開口部２１として利用しているため、先に述べた第１の実施の形態のような専用の取付用孔部１０（図２参照）を別途形成する必要はなく、したがって、製作の手間を省くことができる。
（第３の実施の形態）
次に、第３の実施の形態を図８〜図１０に基いて説明する。
【００２７】
図８に示すように、着脱手段２４は装飾部材１２に一体に設けられている。すなわち、上記着脱手段２４は、弾力性を有する樹脂等で製作されており、装飾部材１２の裏面に立設された挿入軸部２４ａ（挿入部の一例）と、挿入軸部２４ａの先端に形成された脱落防止部２４ｂと、挿入軸部２４ａの先端から装飾部材１２に向けて所定幅Ｗで形成された切込部２４ｃとで構成されている。
【００２８】
上記挿入軸部２４ａは切込部２４ｃによって二つの分割片に縦割りされている。脱落防止部２４ｂの直径は挿入軸部２４ａの直径よりも大きく、切込部２４ｃの幅が所定幅Ｗよりも縮小した場合、脱落防止部２４ｂが縮径して取付用孔部１０への通過が許容される。また、切込部２４ｃの幅が所定幅Ｗに復元した場合、脱落防止部２４ｂが拡径して取付用孔部１０への通過が阻止される。尚、挿入軸部２４ａの先端には、先細りのテーパー面２４ｄが形成されている。
【００２９】
これによると、装飾部材１２をバスケット８に取付ける場合、図８（ｄ）に示すように、挿入軸部２４ａをバスケット８の外側から取付用孔部１０に挿入する。この際、先ず、挿入軸部２４ａの先端のテーパー面２４ｄが取付用孔部１０の外側周縁に当接するため、挿入軸部２４ａの先端が径方向に圧縮されて切込部２４ｃの幅が所定幅Ｗよりも縮小し、脱落防止部２４ｂが縮径して取付用孔部１０を通過し、挿入軸部２４ａが取付用孔部１０に挿入される。
【００３０】
上記取付用孔部１０を通過した脱落防止部２４ｂはバスケット８の内側に突出し、この際、切込部２４ｃの幅が所定幅Ｗに復元し、脱落防止部２４ｂが拡径して取付用孔部１０への通過が阻止される。これにより、脱落防止部２４ｂで挿入軸部２４ａの脱落を防止することができ、図９に示すように、装飾部材１２が着脱手段２４と一体にバスケット８に取付けられる。
【００３１】
また、装飾部材１２をバスケット８から取外す場合、バスケット８の内側から指先等で挿入軸部２４ａの先端を挟んで径方向に圧縮するとともに、装飾部材１２をバスケット８の外側へ引き離す。これにより、切込部２４ｃの幅が所定幅Ｗよりも縮小し、脱落防止部２４ｂが縮径して取付用孔部１０を通過し、挿入軸部２４ａが取付用孔部１０からバスケット８の外側へ脱抜され、装飾部材１２が着脱手段２４と一体にバスケット８から取外される。
【００３２】
上記第３の実施の形態では、着脱手段２４を装飾部材１２に一体に設けているため、先に述べた第１の実施の形態のように着脱手段１４と装飾部材１２とを個別に設けた構成に比べて、部品点数を減らすことができ、着脱手段２４を紛失する心配もない。また、装飾部材１２の着脱がワンタッチで迅速且つ簡単に行える。
【００３３】
上記第３の実施の形態では、図９に示すように、取付用孔部１０を形成したバスケット８に装飾部材１２を着脱しているが、図１０に示すように、取付用開口部２１を有する網目状のバスケット８に装飾部材１２を着脱することも可能である。
【００３４】
上記第３の実施の形態では、装飾部材１２をバスケット８に着脱しているが、バスケット８に限定されるものではなく、チェーンカバー６、泥除け７ａ，７ｂ、スポーク９の少なくともいずれかに装飾部材１２を着脱してもよい。
（第４の実施の形態）
第４の実施の形態では、図１１に示すように、装飾部材１２に、光を反射する反射体２６を設けている。
【００３５】
これによると、暗い場所や夜間での走行時において、装飾部材１２の反射体２６が自動車のヘッドライト等の光を反射するため、安全性が向上する。
上記第４の実施の形態では、装飾部材１２に反射体２６を設けているが、反射体２６の代わりに発光体を設けてもよい。
（第５の実施の形態）
上記各実施の形態では、図１に示すように自転車１に樹脂製の板状のスポーク９を具備しているが、鉄やステンレス製の線材のスポークを具備してもよい。以下に説明する第５の実施の形態では、図１２に示すように、先述した第３の実施の形態の装飾部材１２（図８参照）と第１の実施の形態のワッシャー１６（図４参照）とを組み合わせて、上記のような線材のスポーク２８に装飾部材１２を着脱自在に取付けたものである。
【００３６】
すなわち、切込部２４ｃの幅が所定幅Ｗよりも縮小した場合、脱落防止部２４ｂが縮径してワッシャー１６の孔部１６ａへの通過が許容される。また、切込部２４ｃの幅が所定幅Ｗに復元した場合、脱落防止部２４ｂが拡径してワッシャー１６の孔部１６ａへの通過が阻止される。尚、挿入軸部２４ａと脱落防止部２４ｂと切込部２４ｃとワッシャー１６とによって着脱手段２９が構成されている。
【００３７】
これによると、装飾部材１２をスポーク２８に取付ける場合、スポーク２８を切込部２４ｃ内に挿入し、その後、脱落防止部２４ｂをワッシャー１６の孔部１６ａに挿入する。
この際、先ず、挿入軸部２４ａの先端のテーパー面２４ｄが孔部１６ａの外側周縁に当接するため、挿入軸部２４ａの先端が径方向に圧縮されて切込部２４ｃの幅が所定幅Ｗよりも縮小し、脱落防止部２４ｂが縮径して孔部１６ａを通過し、挿入軸部２４ａがワッシャー１６の孔部１６ａに挿入される。
【００３８】
上記取付用孔部１０を通過した脱落防止部２４ｂは、切込部２４ｃの幅が所定幅Ｗに復元し、脱落防止部２４ｂが拡径して孔部１６ａへの通過が阻止される。これにより、図１２（ａ）（ｂ）に示すように、脱落防止部２４ｂでワッシャー１６の脱落を防止することができ、装飾部材１２が線材のスポーク２８に取付けられる。
【００３９】
また、装飾部材１２をスポーク２８から取外す場合、指先等で挿入軸部２４ａの先端を挟んで径方向に圧縮することにより、切込部２４ｃの幅が所定幅Ｗよりも縮小し、脱落防止部２４ｂが縮径してワッシャー１６の孔部１６ａから脱抜される。これにより、図１２（ｃ）に示すように、装飾部材１２がスポーク２８から取外される。
【００４０】
上記各実施の形態では、装飾部材１２を子供用の自転車１に着脱しているが、一般の自転車に着脱してもよい。
【産業上の利用可能性】
【００４１】
本発明は自転車の装飾を個人の好みに応じて多種多様に変えることが可能であり、自分だけの装飾を施した自転車を手軽に保有することができ、また、他の自転車との識別も容易に行える。
【図面の簡単な説明】
【００４２】
【図１】本発明の第１の実施の形態における自転車の図
【図２】同、装飾部材を取外した自転車のバスケットの側面図
【図３】同、自転車の装飾部材の図であり、（ａ）は装飾部材の正面図、（ｂ）は（ａ）におけるＸ−Ｘ矢視図、（ｃ）は装飾部材をバスケットに取付けた状態での断面図
【図４】同、自転車の装飾部材を着脱する着脱手段の図
【図５】同、装飾部材を取付けた自転車のバスケットの側面図
【図６】本発明の第２の実施の形態における装飾部材を取外した自転車のバスケットの側面図
【図７】同、装飾部材を取付けた自転車のバスケットの側面図
【図８】本発明の第３の実施の形態における自転車の装飾部材の図であり、（ａ）は装飾部材の正面図、（ｂ）は装飾部材の側面図、（ｃ）は装飾部材の背面図、（ｄ）は装飾部材をバスケットに取付けた状態での断面図
【図９】同、自転車の取付用孔部を有するバスケットに装飾部材を取付けた状態を示す側面図
【図１０】同、自転車の網目状のバスケットに装飾部材を取付けた状態を示す側面図
【図１１】本発明の第４の実施の形態における自転車の装飾部材の正面図
【図１２】本発明の第５の実施の形態における自転車の装飾部材の図であり、（ａ）は装飾部材を線材のスポークに取付けた図、（ｂ）は（ａ）におけるＸ−Ｘ矢視図、（ｃ）は装飾部材を線材のスポークから取外した図
【符号の説明】
【００４３】
１      自転車
６      チェーンカバー
７ａ，７ｂ    泥除け
８      バスケット
９      スポーク
１０    取付用孔部（取付用開口部）
１２    装飾部材
１４    着脱手段
１５ａ  挿入軸部（挿入部）
１６    ワッシャー（脱落防止部）
２１    取付用開口部
２４    着脱手段
２４ａ  挿入軸部（挿入部）
２４ｂ  脱落防止部
２６    反射体
【図１】
2007045313.tif 000003
【図２】
2007045313.tif 000004
【図３】
2007045313.tif 000005
【図４】
2007045313.tif 000006
【図５】
2007045313.tif 000007
【図６】
2007045313.tif 000008
【図７】
2007045313.tif 000009
【図８】
2007045313.tif 000010
【図９】
2007045313.tif 000011
【図１０】
2007045313.tif 000012
【図１１】
2007045313.tif 000013
【図１２】
2007045313.tif 000014